(57)【特許請求の範囲】
【請求項１】
パチンコ球Ｂを貯留する上皿４から通入されるパチンコ球Ｂを球取込装置Ｓ1 によって機内に取り込み、該取り込んだパチンコ球Ｂを球検出器３７で検出し、所定数のパチンコ球Ｂが検出されたことに基づいて遊技を行い得る遊技機において、
前記球取込装置Ｓ1 は、
内部の左右横方向に横断面円形の空間部２１ａを形成し、一方の端部に前記上皿４側の傾斜通路６１の出口と整合連通されてパチンコ球Ｂを前記空間部２１ａ内に通入し得る球受入口２２を開口すると共に、他方の端部にパチンコ球Ｂの取り込み用の通路６３と連通される球出口２６を開口した横長形のケース２１と、
前記ケース２１の空間部２１ａ内に横向き水平状態で回転可能に支持されて前記球受入口２２から空間部２１ａ内に通入したパチンコ球Ｂを、螺旋状に連続する送出板部２４ｂと球受溝部２４ａの間に１個ずつ取込んで前記球出口２６側に送り込む螺旋回転送出体２４と、
前記ケース２１の他方側に設置されて球取込み信号に基づく駆動制御により前記螺旋回転送出体２４を回転停止駆動するモータＭと、
前記ケース２１の球出口２６に配置されて前記通路６３に通出されるパチンコ球Ｂを１個ずつ検出する球検出器３７と、を備えており、
前記ケース２１は、上側に位置する内周壁面部２１ｂと、一側端部に位置して前記球受入口２２を開通した側壁部２１ｃと、他側端部に位置する支持板部２１ｄと、下側に位置して前記球出口２６を開通した底壁部２１ｅとで囲まれる内部空間に前記空間部２１ａが形成される一方、前記底壁部２１ｅの内面に球受入口２２と球出口２６を連通する球誘導路２５が形成され、
前記球受入口２２の下底内面と前記底壁部２１ｅの入口部側端部に臨む下底内面との間に亘り、凹曲面形状をなす球通入案内用の底部２２ａが同一水平高さで連続延長して形成され、当該底部２２ａの凹曲面位置が、前記螺旋回転送出体２４の螺旋状の送出板部２４ｂの外周よりも、前記球受入口２２から線状体が挿入された場合に最も手前側の前記送出板部２４ｂに当接して奥側への挿入を阻止し得る寸法ｄ1 だけ高い位置に設置され、
前記底壁部２１ｅの下底部内面で前記凹曲面形状の底部２２ａの内端から前記球出口２６の間に亘って、前記螺旋回転送出体２４の球送り過程におけるパチンコ球Ｂの連れ回りを制止するための連回り防止溝２９がパチンコ球Ｂの案内幅を以て直線状に形成され、かつ当該連回り防止溝２９の下底面が、前記底部２２ａの凹曲面位置に対して段差部２８を有して当該底部２２ａよりも低い位置に形成され、前記球受入口２２の底部２２ａと前記連回り防止溝２９とが段違い状に連通されて前記球誘導路２５が形成されていることを特徴とする遊技機。
【発明の詳細な説明】
【０００１】
【発明の属する技術分野】
本発明は、所定球数のパチンコ球を一単位として遊技を行い、その結果に応じて所定数のパチンコ球を賞球として払い出す形式の遊技機において、特にその単位数のパチンコ球の取込装置に関するものである。
【０００２】
【従来の技術】
スロットマシンは、遊技機の一種であって、盤面に表示される図柄を変動させ、所定の図柄が揃ったら特典を付与する遊技であるが、メダルの代わりにパチンコ球を遊技機内に取込み、所定数のパチンコ球と交換に遊技を開始できるものがある。このようなスロットマシンＰ’においては、図１１及び図１２に示されるとおり、上皿４’に貯留されたパチンコ球Ｂを、その底部の傾斜面に沿って球取込装置Ｓ’まで転がし、該球取込装置Ｓ’によって、所定数のパチンコ球ＢをスロットマシンＰ’の内部に取り込む方法が用いられている。上皿４’に貯留されたパチンコ球Ｂは、球入口３’から、上皿４’の内部に形成された球通路を１球づつ転がり、次いで、球取込装置Ｓ’の球誘導路２５’に沿って移動し、その先のスプロケット状の回転送出体２４’の球受溝部２４a`に収容され、該回転送出体２４’がステッピングモータで所定角度回転することにより、下方に向けて送出される。そして、球検出器２７が取付けられている部分を通過することによって、通過したパチンコ球Ｂの球数が検出され、その球数が所定数になると遊技が開始できるように構成されている。
【０００３】
しかしながら、このような球取込装置Ｓ’においては、針金等の細くて長尺な線状体を球入口３’から遊技機内部の球検出器２７の部分にまで差し込み、この線状体をパチンコ球Ｂの代わりに認識させ、これを抜き差しする回数をパチンコ球Ｂの球数と認識させる不正操作によって、不正に遊技が行われる場合がある。図１１及び図１２に示される従来構成の球取込装置Ｓ’は、回転送出体２４’がスプロケット状をなしており、前記球誘導路２５’内を通過するパチンコ球Ｂの進行方向に沿って回転するように取付けられているため、針金等を球検出器２７の部分まで差し込むことが比較的容易である。そのため、上記不正操作による不正遊技を防止するのが困難であった。
【０００４】
【発明が解決しようとする課題】
本発明は、遊技機の球入口から針金等の線状体を差し入れても、パチンコ球の回転送出体の奥方に配置された球検出器まで、線状体の端部が及ばないパチンコ球の球取込装置を有する遊技機を提供することを課題としている。
【０００５】
【課題を解決するための手段】
上記の課題を解決するために請求項１に記載の発明は、パチンコ球を貯留する上皿から通入されるパチンコ球を球取込装置によって機内に取り込み、該取り込んだパチンコ球を球検出器で検出し、所定数のパチンコ球が検出されたことに基づいて遊技を行い得る遊技機において、前記球取込装置は、内部の左右横方向に横断面円形の空間部を形成し、一方の端部に前記上皿側の傾斜通路の出口と整合連通されてパチンコ球を前記空間部内に通入し得る球受入口を開口すると共に、他方の端部にパチンコ球の取り込み用の通路と連通される球出口を開口した横長形のケースと、前記ケースの空間部内に横向き水平状態で回転可能に支持されて前記球受入口から空間部内に通入したパチンコ球を、螺旋状に連続する送出板部と球受溝部の間に１個ずつ取込んで前記球出口側に送り込む螺旋回転送出体と、前記ケースの他方側に設置されて球取込み信号に基づく駆動制御により前記螺旋回転送出体を回転停止駆動するモータと、前記ケースの球出口に配置されて前記通路に通出されるパチンコ球を１個ずつ検出する球検出器とを備えており、前記ケースは、上側に位置する内周壁面部と、一側端部に位置して前記球受入口を開通した側壁部と、他側端部に位置する支持板部と、下側に位置して前記球出口を開通した底壁部とで囲まれる内部空間に前記空間部が形成される一方、前記底壁部の内面に球受入口と球出口を連通する球誘導路が形成され、前記球受入口の下底内面と前記底壁部の入口部側端部に臨む下底内面との間に亘り、凹曲面形状をなす球通入案内用の底部が同一水平高さで連続延長して形成され、当該底部の凹曲面位置が、前記螺旋回転送出体の螺旋状の送出板部の外周よりも、前記球受入口から線状体が挿入された場合に最も手前側の前記送出板部に当接して奥側への挿入を阻止し得る寸法だけ高い位置に設置され、前記底壁部の下底部内面で前記凹曲面形状の底部の内端から前記球出口の間に亘って、前記螺旋回転送出体の球送り過程におけるパチンコ球の連れ回りを制止するための連回り防止溝がパチンコ球の案内幅を以て直線状に形成され、かつ当該連回り防止溝の下底面が、前記底部の凹曲面位置に対して段差部を有して当該底部よりも低い位置に形成され、前記球受入口の底部と前記連回り防止溝とが段違い状に連通されて前記球誘導路が形成されていることを特徴としている。
【０００６】
請求項１の発明によれば、球誘導路には、球検出器の側が螺旋回転送出体の半径方向に拡がるような段差部が形成されて、前記螺旋回転送出体の外周部の少なくとも一部が、前記誘導路における前記段差部の球受入口側よりも前記半径方向に拡がった状態で、前記球誘導路における前記段差部よりも前記球検出器の側に配置されているので、針金等の線状体を球入口から内方に挿入して、球検出器に対して抜き差しする不正操作を試みても、前記線状体は、螺旋回転送出体の外周部に当たって、これよりも球検出器の側に挿入できない。よって、前記不正操作を防止できる。
【０００７】
【０００８】
【０００９】
【００１０】
また、球誘導路には、前記螺旋回転送出体により送出されるパチンコ球の連れ回りを防止する溝部が設けられているために、螺旋回転送出体の回転によるパチンコ球の連れ回りが確実に防止されて、その球受溝に受け入れられたパチンコ球は、球検出器の部分まで確実に送出される。
【００１１】
【発明の実施の形態】
以下、複数の実施形態を挙げて、本発明を更に詳細に説明する。図１は、パチンコ球Ｂで遊技を行う本発明の第１実施形態に係るスロットマシンＰの全体の正面図である。図１に示されるとおり、スロットマシンＰの上方中央部には、図柄の表示を行う略方形の図柄表示部１が設置され、該図柄表示部１の下方には、遊技操作を行うのに必要な各種ボタン等からなる操作部２が設置され、その下方には、パチンコ球Ｂを貯留させる上皿４が設置され、更にその下方には、該上皿４の上の過剰のパチンコ球Ｂを貯留するための下皿５が設置されている。また、上皿４の右方には、その球入口３から所定数のパチンコ球ＢをスロットマシンＰの内部に取り込むための球取込装置Ｓ1 が設置されている。なお、図１において、６及び７は、それぞれ前記上皿４及び下皿５に対してパチンコ球Ｂを排出させるための排出口、８は、スピーカー、９は、灰皿である。
【００１２】
また、前記図柄表示部１には、外周面に異なる多数の図柄が連続して描画された３つの回転リールＲ1,Ｒ2,Ｒ3 が横方向に並んで配置されている。前記操作部２には、１回のスロットゲームで掛けるパチンコ球Ｂの数を設定するベットボタン１４、各回転リールＲ1,Ｒ2,Ｒ3 を回転始動させるスタートボタン１５、回転中の各回転リールＲ1,Ｒ2,Ｒ3 を個別に停止させる右、中央及び左の各停止ボタン１６，１７，１８、遊技をリセットするためのリセットボタン１９等が設けられている。
【００１３】
そして、遊技を行うためには、まず、ベットボタン１４を操作して、掛数を選択する。即ち、ベットボタン１４が１回押された時には、中央に水平配置された１本の有効ライン１１のみが図柄を揃える対象として有効となり、２回押された時には、その上下２本の有効ライン１２を加えた合計３本が同じく有効となり、３回押された時には、更にもう２本の対角線方向の有効ライン１３を加えた合計５本が同じく有効となる。各々の掛数の有効ライン１１，１２，１３の各本数（１，３，５）に応じて、遊技を開始するのに必要なパチンコ球Ｂの球数は、それぞれ（５，１０，１５）必要になるように定められており、パチンコ球Ｂの球取込装置Ｓ1 が作動して、後述の球検出器２７により必要な球数が取り込まれたことが確認された後に、スタートボタン１５を押すと、前記各回転リールＲ1,Ｒ2,Ｒ3 が回転を開始し、所定時間経過後に図柄を揃えるべく、各停止ボタン１６，１７，１８を押して、各回転リールＲ1,Ｒ2,Ｒ3 を停止させて、遊技を行うように構成されている。
【００１４】
次に、本実施形態に係る球取込装置Ｓ1 の構成について図１ないし図６を用いて説明する。図２は、球取込装置Ｓ1 を取付けた上皿４の部分の平面図であって、図３は、同じく上皿４の部分の右側面図である。図４は、球取込装置Ｓ1 の部分の正面断面図であって、図５及び図６は、それぞれ図４におけるＡ−Ａ線及び及びＣ−Ｃ線の各断面図である。図１ないし図３に示されるように、上皿４の上面に凹設された貯留部４ｂの底面は、球入口３に向けて僅かに下傾する傾斜面部４ａとなっていて、また前記貯留部４ｂの横幅は、球入口３の手前で１球ずつ通過可能な幅に縮小されている。そのため、前記貯留部４ｂに貯留されたパチンコ球Ｂは、球入口３に向けて自重により転動しながら１列に整列された状態で、球入口３を通過してスロットマシンＰに取り込まれる。球入口３を通過したパチンコ球Ｂは、スロットマシンＰの左右方向（横方向）Ｘに沿うように形成された後述の傾斜通路６１を１球ずつ転動して、上皿４の右端側に取り付けられた球取込装置Ｓ1 のケース２１の球受入口２２（図４参照）に導かれる。
【００１５】
また、図４に示されるとおり、該球取込装置Ｓ1 のケース２１の内部には、横断面が円形の空間部２１ａが支持板部２１ｄを介して分離形成されて、各部分には、それぞれ螺旋回転送出体２４と、これを駆動回転させるステッピングモータＭとが水平配置されて、前記螺旋回転送出体２４の回転軸部２４ｃは、ケース２１の左側の側壁部２１ｃと前記支持板部２１ｄに回転可能に支持されている。また、前記ステッピングモータＭの駆動軸に取付けられたギア２３ａと、前記螺旋回転送出体２４の回転軸部２４ｃの奥方端部（右端部）に取付けられたギア２３ｂは、互いに噛合していて、前記前記ステッピングモータＭの駆動回転により、前記螺旋回転送出体２４が回転される。前記螺旋回転送出体２４は、自身が回転するに従って順次、パチンコ球Ｂを球受入口２２から該空間部２１ａの奥方に送出するためのものである。また、前記ケース２１の底壁部２１ｅの内面には、パチンコ球Ｂの底部と接して、その通路となる球誘導路２５が、球受入口２２から奥方に向かって形成されており、前記ケース２１の底壁部２１ｅの右端側には、ケース２１内に取り込まれたパチンコ球Ｂを、その外部に送出するための球出口２６が、前記球誘導路２５と接続して形成されている。そして、螺旋回転送出体２４により球誘導路２５上を転がって奥方に移動して、球出口２６を通過するパチンコ球Ｂの球数が、球出口２６の直下に取付けられた球検出器２７によって、検出されるように構成されている。なお、球出口２６より送出されたパチンコ球Ｂは、スロットマシンＰの内部に形成した球通路を経由して、スロットマシンＰの裏側より、島設備に排出される。
【００１６】
また、図５及び図６に示されるとおり、前記球受入口２２は、方形状に形成されていて、その底部２２ａは、パチンコ球Ｂが横方向に転がるのを防止のために僅かに円弧状に形成され、前記球受入口２２から前記球出口２６に至る球誘導路２５における前記球受入口２２から僅かに奥方に入った部分には、奥方が低くなるように、即ち、前記螺旋回転送出体２４の半径方向に拡がるように、段差部２８が形成されている（図４参照）。この段差部２８は、内周壁面部２１ｂに対してほぼ垂直に形成されていて、パチンコ球Ｂが球受入口２２を通過可能な範囲で、できるだけ大きな段差になるように形成されている。また、前記球誘導路２５における前記段差部２８よりも奥方の部分には、前記螺旋回転送出体２４によりパチンコ球Ｂを奥方に送出する際に、その連れ回りを防止するために、断面が緩やかな円弧状となった連回り防止溝２９が形成されている。そして、前記螺旋回転送出体２４の球受溝部２４ａに収容されて奥方に移動されるパチンコ球Ｂの底部側の一部は、その移動中において、前記連回り防止溝２９に部分的に収容された状態で移動させられるために、連れ回りが防止される。
【００１７】
また、前記螺旋回転送出体２４は、送出板部２４ｂを螺旋状に形成することにより、隣接する送出板部２４ｂの間に、一球のパチンコ球Ｂのみを収容可能な螺旋状の球受溝部２４ａが形成された構成である。即ち、螺旋状をした前記送出板部２４ｂは、自身が回転するに従って、パチンコ球Ｂに送出方向（奥方）への押出力を作用させ、球受入口２２から連続供給されるパチンコ球Ｂを前記球誘導路２５に沿って順次送出するための部分であって、その取付ピッチは、隣接する各送出板部２４ｂの間の球受溝部２４ａに、一球のみのパチンコ球Ｂが収納されて押出されるように、パチンコ球Ｂの直径と対応して形成されている。また、螺旋回転送出体２４の送出板部２４ｂの外径は、パチンコ球Ｂを球受溝部２４ａに収容した状態で、該パチンコ球Ｂの底部が、僅かにはみ出るように形成されており、前記ケース２１の空間部２１ａの内径よりも僅かに小さく形成されて、該空間部２１ａ内において回転可能なようになっている。また、螺旋回転送出体２４の外形は、全長に亘って一定していて、その送出板部２４ｂの下端部の全ては、前記球誘導路２５における前記段差部２８よりも奥方の部分に配置されている。
【００１８】
また、図４において、６１は、上皿４に収容されたパチンコ球Ｂを前記ケース２１の側に向けて転動し易くするために、上皿４の傾斜面部４ａと連続して設けられた傾斜通路であり、６２は、上皿４に収容されたパチンコ球Ｂを下皿５に移すための通路６４を閉塞するためのシャッターであり、６３は、球検出器２７を通過したパチンコ球Ｂを通過させる通路を示す。
【００１９】
次に、上述した球取込装置Ｓ1 を取付けたスロットマシンＰの内部に、順次、パチンコ球Ｂを取り込む方法について説明する。まず、ベットボタン１４を押すと、有効ライン１１，１２，１３の本数に応じた掛数が決定され、これに対応したパチンコ球Ｂの球数（５，１０，１５）を送出するのに必要な回転数分のパルス信号が、制御器（以下、図示せず）よりステッピングモータＭに入力される。これにより、ステッピングモータＭが起動回転して、これと連結する螺旋回転送出体２４が回転するに従って、その球受溝部２４ａに収容されたパチンコ球Ｂは、送出板部２４ｂにより奥方に押し出されて、前記連回り防止溝２９により、その連れ回りを防止された状態で、球誘導路２５に沿って奥方に送出される。
【００２０】
また、球受入口２２に近い左端側の球受溝部２４ａに収容されたパチンコ球Ｂが奥方に送出されるに従って、右下がりの傾斜を有する通路６１に収容されたパチンコ球Ｂは、自重により転動して、球受入口２２の底部２２ａの球誘導路２５に達した後に、前記段差部２８の部分を落下して、螺旋回転送出体２４の球受溝部２４ａに一球ずつ順次収容される。一方、球出口２６の最も近くの右端側の球受溝部２４ａに収容されたパチンコ球Ｂは、螺旋回転送出体２４の回転により、該球受溝部２４ａから排出されて、前記球出口２６及び球検出器２７の部分を通過して球取込装置Ｓ1 の外部に排出されて、スロットマシンＰに取り込まれる。このようにして、上皿４に収容された多数のパチンコ球Ｂは、一球ずつ球取込装置Ｓ1 に連続供給されて、スロットマシンＰに取り込まれる。
【００２１】
また、球検出器２７は、自身を通過したパチンコ球Ｂの数を検出して、スロットマシンＰに取付けられた制御器に、パチンコ球Ｂの球数に相当する信号を出力する。前記制御器によって、予め設定された掛数に相当するパチンコ球Ｂの球数が検出されれば、スタートボタン１５を押して、遊技を行うことが可能となる。もし、設定された掛数に満たないパチンコ球Ｂの球数しか検出されなかった時には、更にもう１度ステッピングモータＭが所定時間（１〜２秒）回転される。この間に必要なパチンコ球Ｂの球数が検出された時には、遊技を行うことが可能となるが、遊技開始に必要な球数に満たなかった時には、遊技をリセットすることによって、前記球検出器２７を通過した前記必要球数以下のパチンコ球Ｂは、遊技者の側に戻されて、パチンコ球Ｂの取込操作は、完了しないまま終了する。
【００２２】
そして、パチンコ球Ｂの取込操作を終えた後には、スタートボタン１５を押すと、前記各回転リールＲ1,Ｒ2,Ｒ3 が一斉に回転を開始し、有効ライン１１，１２，１３の上に図柄を揃えるべく、各停止ボタン１６，１７，１８を押して、前記各回転リールＲ1,Ｒ2,Ｒ3 の回転を停止させて、遊技を行う。
【００２３】
このように構成された球取込装置Ｓ1 において、球入口３から針金Ｗを挿入し、球検出器２７の部分にまで到達させて、パチンコ球Ｂの代わりに認識させる不正操作を行おうとすると、球受入口２２の底部２２ａから略水平に挿入された針金Ｗの先端は、螺旋回転送出体２４の球受入口２２に最も近い送出板部２４ｂの外周部と干渉するように構成されており（図４参照）、針金Ｗの先端が、真直ぐに球出口２６に到達できないようになっている。即ち、前記球誘導路２５には、奥方が低くなるように、即ち、前記螺旋回転送出体２４の半径方向に拡がるように、段差部２８が形成され、しかも螺旋回転送出体２４の全ての送出板部２４ｂの外周部が、前記段差部２８の上面である球受入口２２の底部２２ａよりも、寸法差ｄ1 だけ低い位置に、即ち、前記螺旋回転送出体２４の半径方向に拡がった位置に配置されているので（図４及び図６参照）、前記針金Ｗは、球受入口２２に最も近い送出板部２４ｂの外周部に当たって、これよりも奥方に挿入できない。また、段差部２８は、垂直に立ち上るように設けられているので、針金Ｗの前記球検出器２７に対する挿入操作がより困難になる。よって、不正操作を防止することができる。また、従来構成のスプロケット状の回転送出体２４’と異なって、送出板部２４ｂに対する針金Ｗの押力は、螺旋回転送出体２４を回転させるように作用しないので、この構成によっても、針金Ｗの挿入操作を防ぐのに効果的である。
【００２４】
次に、本発明の第２実施形態に係る球取込装置Ｓ2 の構成について説明する。球取込装置Ｓ2 は、螺旋回転送出体３４と球誘導路３５との構成に関してのみ、第１実施形態の球取込装置Ｓ1 と異なっているため、他の同一部分には、前記球取込装置Ｓ1 と同一符号を付し、重複説明を避けて、それらの異なる部分の構成についてのみ説明する。図７は、球取込装置Ｓ2 の部分の正面断面図であって、図９は、図７におけるＥ−Ｅ線断面図である。球取込装置Ｓ2 のケース３１は、球取込装置Ｓ1 と同じく、その内部のパチンコ球Ｂの通路が、スロットマシンＰの左右方向（横方向）Ｘに沿って配置するように設けられており（図１及び図２参照）、螺旋回転送出体３４に形成された球受溝部３４ａは、その外径が奥方に向かって徐々に大きく拡がっている。即ち、球受溝部３４ａを形成する送出板部３４ｂは、第１実施形態の螺旋回転送出体２４の送出板部２４ｂと同様に、パチンコ球Ｂを順次奥方に送出するための部分であるが、その外径は、奥方に向けて徐々に大きく拡がっている結果、最も奥方の送出板部３４b1が最大外径を有するように形成されている。
【００２５】
また、球誘導路３５は、球受入口３２の底部３２ａに設けられた連回り防止溝３９と、その右端側に段差部３８を介してそれより低い位置に連続して形成されたケース３１の内周壁面底部３１ｃとで構成されている。そして、前記段差部３８は、最も奥方の送出板部３４b1の外周部のみが、前記内周壁面底部３１ｃに僅かの隙間を有して近接配置されるように、前記球取込装置Ｓ1 に比較して、球受入口３２から奥方に離れた位置に設けられている。即ち、最大外径を有する最も奥方の送出板部３４b1の外周部のみが、段差部３８の上面である連回り防止溝３９の底部３９ａよりも、寸法差ｄ2 だけ低い位置に、即ち、前記螺旋回転送出体２４の半径方向に拡がった位置に、配置されるように構成されている。
【００２６】
上述した球取込装置Ｓ2 においては、ステッピングモータＭが起動回転して、これと連結する螺旋回転送出体３４が回転するに従って、パチンコ球Ｂは、奥方の最大外径を有する送出板部３４b1に向けて押し出されて、順次奥方に移動される。図８は、図７の状態から螺旋回転送出体３４が半回転した状態の球取込装置Ｓ2 の正面断面図である。図７及び図８に示されるとおり、球受入口３２からケース３１内に入り込んだパチンコ球Ｂは、螺旋回転送出体３４の回転によって、連回り防止溝３９の底部３９ａと球受溝部３４ａとに接しながら、途中で段差部３８で僅かに落下されて、順次奥方に移動させらる。これに応じて、後続するパチンコ球Ｂは、球受入口３２の連回り防止溝３９の上に連続供給され、螺旋回転送出体３４の最も奥方の球受溝部３４ａに収容されているパチンコ球Ｂは、前記螺旋回転送出体３４が更に回転することにより、球出口３６の部分に達して、これから落下して、球検出器３７を通過することにより、取込球数が加算される。このようにして、球受入口３２に連続供給されるパチンコ球Ｂを順次取り込むことが可能となる。
【００２７】
そして、球取込装置Ｓ2 においては、前記球取込装置Ｓ1 に比較して、球受入口３２から離れた奥方に段差部３８を設けて、該段差部３８よりも更に奥方に、前記螺旋回転送出体３４の最大外径を有する送出板部３４b1を配置することができるので、不正操作のためにケース３１内に挿入された針金Ｗが、最大外径を有する送出板部３４b1の下端外周部に当たる位置を、球入口３から離すことができる。よって、不正操作が試みられた時には、針金Ｗの先端の微妙な操作がしにくくなって、不正操作を一層確実に防止することができる。
【００２８】
また、上述した第１及び第２の各実施形態の球取込装置Ｓ1,Ｓ2 においては、それらの内部のパチンコ球Ｂの通路である球誘導路２５，３５は、スロットマシンＰの左右方向（横方向）Ｘに沿って配置されているが、これをスロットマシンＰの奥行方向Ｙに沿って配置しても構わない。図１０は、第１実施形態の前記球取込装置Ｓ1 を奥行方向Ｙに沿って取付けた状態を示す図である。このように取付けることによって、球取込装置Ｓ1 のケース２１内に針金Ｗを挿入して不正操作が試みられた場合には、その途中において針金Ｗを曲げる必要があり、しかも、針金Ｗの曲げられた部分の先端は、球取込装置Ｓ1 の最も手前側の送出板部２４ｂに当たるために、前記針金Ｗを球検出器２７に対して抜き差しする操作が一層困難となり、不正操作の防止の効果が高められる。
【００２９】
また、上記各実施形態では、全長に亘って外径が同一のストレート状、及び奥方に向けて徐々に外径が大きくなったテーパー状の螺旋回転送出体を示したが、軸方向（長手方向）の中央部が最も外径が大きくなっていて、両端に向けて徐々に外径が小さくなる形状の螺旋回転送出体を使用して、その最大外径部分を、球誘導路の途中に設けた段差部よりも奥方に配置する構成にしても、前記不正操作を防止できる。
【００３０】
なお、第１及び第２の各実施形態の球取込装置Ｓ1,Ｓ2 においては、球誘導路２５，３５に、連回り防止溝２９，３９が設けられた例を説明したが、各連回り防止溝２９，３９を設けなくても、不正操作を防止する効果を得ることはできる。即ち、第１実施形態の球取込装置Ｓ1 では、球受入口２２の底部２２ａと、該底部２２ａに段差部２８を介して奥方に向けて連続して形成されたケース２１の内周壁面部２１ｂの底部とで球誘導路２５を構成し、また、第２実施形態の球取込装置Ｓ2 では、球受入口３２の底部３２ａと、該底部３２ａに段差部３８を介してそれより低い位置に奥方に向けて連続して形成されたケース３１の内周壁面底部３１ｃとで球誘導路３５を構成しても構わない。
【００３１】
また、第１及び第２の各実施形態の球取込装置Ｓ1,Ｓ2 においては、球誘導路２５，３５をケース２１，３１の下部に設け、螺旋回転送出体２４，２５の下方において、パチンコ球Ｂを移動させる構成としたが、螺旋回転送出体２４，２５の上方、或いは側方に、パチンコ球Ｂの球誘導路を設けても構わない。
【００３２】
【発明の効果】
本発明に係る遊技機に取付けられた球取込装置は、ケースの底壁部の下底部内面で球受入口側の凹曲面形状の底部の内端から球出口の間に亘って、螺旋回転送出体の球送り過程におけるパチンコ球の連れ回りを制止するための連回り防止溝がパチンコ球の案内幅を以て直線状に形成され、かつ当該連回り防止溝の下底面は、前記球受入口側の底部の凹曲面位置に対して段差部を有して当該底部よりも低い位置に形成されているために、針金等の線状体を球入口から内方に挿入して、球検出器に対して抜き差しすることにより、パチンコ球が通過したと認識させる不正操作を試みても、前記線状体は、螺旋回転送出体の外周部に当たって、これよりも奥方に挿入できないので、前記不正操作を効果的に防止できる。
【図面の簡単な説明】
【図１】  本発明の第１実施形態の球取込装置Ｓ1 を取付けたスロットマシンＰの全体の正面図である。
【図２】  球取込装置Ｓ1 を取付けた上皿４の部分の平面図である。
【図３】  同じく右側面図である。
【図４】  球取込装置Ｓ1 の部分の正面断面図である。
【図５】  図４におけるＡ−Ａ線断面図である。
【図６】  図４におけるＣ−Ｃ線断面図である。
【図７】  本発明の第２実施形態の球取込装置Ｓ2 の部分の正面断面図である。
【図８】  図７の状態から螺旋回転送出体３４が半回転した状態の正面断面図である。
【図９】  図７におけるＥ−Ｅ線断面図である。
【図１０】  スロットマシンＰに球取込装置Ｓ1 を奥行方向Ｙに沿って取付けたことを示す図である。
【図１１】  従来構成の球取込装置Ｓ’が取付けられたスロットマシンＰ’の上皿４’の部分の平面図である。
【図１２】  同じく右側面図である。
【符号の説明】
Ｂ：パチンコ球
ｄ1,ｄ2 ：（段差部上面と送出体外周部との）寸法差
Ｐ：スロットマシン（遊技機）
Ｓ1,Ｓ2 ：球取込装置
Ｗ：針金（線状体）
３：球入口
２２，３２：球受入口
２４，３４：螺旋回転送出体
２４a,３４a ：球受溝部
２４b,３４b ：送出板部（螺旋回転送出体の外周部）
２５，３５：球誘導路
２７，３７：球検出器
２８，３８：段差部
２９，３９：連回り防止溝
３４b1：送出板部の最大外径部分
【図１】
0004274303.tif 000002
【図２】
0004274303.tif 000003
【図３】
0004274303.tif 000004
【図４】
0004274303.tif 000005
【図５】
0004274303.tif 000006
【図６】
0004274303.tif 000007
【図７】
0004274303.tif 000008
【図８】
0004274303.tif 000009
【図９】
0004274303.tif 000010
【図１０】
0004274303.tif 000011
【図１１】
0004274303.tif 000012
【図１２】
0004274303.tif 000013